(57)【要約】【課題】身体の任意の部分、特に、胸の汗とりに好適に使用することができ、汗をかいたときに香気を揮散させることのできる汗とりシートを提供する。【解決手段】汗とりシート１が、肌に貼付される貼付剤層４を有し、汗の吸収により香気を揮散させる香気揮散剤を含有する。【選択図】    図１
2004298539.tif 000002
【特許請求の範囲】
【請求項１】
肌に貼付される貼付剤層を有し、汗の吸収により香気を揮散させる香気揮散剤を含有する汗とりシート。
【請求項２】
水分吸収性のバインダー樹脂に香気揮散剤を分散させた水分吸収層が貼付剤層と積層されている請求項１記載の汗とりシート。
【請求項３】
香気揮散剤が、サイクロデキストリンで包接された香料からなる請求項１又は２記載の汗とりシート。
【請求項４】
乳房の略下半分に貼付できるように、左右非対称な変形三日月形状をなしている請求項１〜３のいずれかに記載の汗とりシート。
【発明の詳細な説明】
【０００１】
【発明の属する技術分野】
本発明は、肌に貼付して用いる汗とりシートに関する。
【０００２】
【従来の技術】
従来、汗とり材として、下着の脇下部に添着して用いられる吸水性の織布、不織布等からなるパッドや、吸水性のクッション性材料を織布で覆ったパッドが広く使用されている。
【０００３】
しかしながら、このような汗とりパッドは、下着への添着が必要とされるので、身体の任意の部分に用いることはできない。特に、胸の汗をとるために、このようなパッドを下着の胸の部分に添着すると、胸部のボディーラインが損なわれるという問題が生じる。また、胸用の汗とりパッドはこれまにで無く、そのため、乳房の大きい人ほど、汗疹の悩みがあるのが実状となっている。
【０００４】
一方、胸に当てる吸水性のパッドとしては母乳パッドがある。母乳パッドは、吸水紙、吸水性ポリマーシート等からなる吸水材の片面に防水シートを配したもので、ブラジャーの中に装着して用いられる（特許文献１参照）。
【０００５】
母乳パッドは、第一義的に母乳が外部に滲み出ないよう、授乳期の女性の乳房に合わせて比較的大型に作られている。一方、一般のブラジャーには種々のデザインがあり、カップサイズも、１／２カップ、３／４カップ、フルカップ等がある。したがって、これらの任意のブラジャーの中で母乳パッドを汗とりパッドとして装着できるようにするためには、カップタイプに合わせて、母乳パッドに複数の切取線を設けること等が必要となる。この切取線の部分には、切り取り後の端部からのしみだしを防止する点から、吸水性、吸水性ポリマーシート等の吸水材は設けないことが好ましいが、吸水材のない切取線を複数設けると、母乳パッドの吸水性が低下するという問題が生じる。
【０００６】
さらに、通常、左右の乳房の大きさや形は微妙に異なるため、母乳パッドを適当な大きさに切り取り、汗とりパッドとしてブラジャーの中に装着すると、左右いずれかのカップで浮きが生じ、汗が吸水されにくくなるという問題も生じる。
【０００７】
また、一般に、汗対策としては制汗用化粧料が使用されている。制汗用化粧料には、制汗剤の他に香料成分や消臭成分が含まれている。また、香気を持続させるため、サイクロデキストリンで包接された香料と包接されていない香料を併用することが提案されている（特許文献２参照）。香気を揮散させることは、汗とりパッドの使用時においても好ましいが、特に、汗をかいたときに香気を揮散させることが、効率よく汗の臭いをマスキングする点から好ましい。
【０００８】
【特許文献１】特開平１０−１１８１１２号公報
【特許文献２】特許３２４３９５５号公報
【０００９】
【発明が解決しようとする課題】
以上のような従来技術の問題に対し、本発明は、身体の任意の部分、特に、胸の汗とりに好適に使用することができ、汗をかいたときに香気を揮散させることのできる汗とりシートを提供することを目的とする。
【００１０】
【課題を解決するための手段】
本発明者は、従来の下着に添着して用いる汗とりパッドに代えて、汗とり材を比較的薄いシート状とし、それを貼付剤によって直接肌に貼りつけると、汗とり材の浮きの問題が生ぜず、汗の吸収性能を高められること、また、ボディーラインが損なわれることも解消できること、さらに、このシート状の汗とり材に、汗の吸収により香気を揮散させる香気揮散剤を含有させると、汗をかいたときに香気を揮散させられることを見出した。
【００１１】
即ち、本発明は、肌に貼付される貼付剤層を有し、汗の吸収により香気を揮散させる香気揮散剤を含有する汗とりシートを提供する。
【００１２】
【発明の実施の形態】
以下、図面を参照しつつ、本発明を詳細に説明する。なお、各図中、同一符号は同一又は同等の構成要素を表している。
【００１３】
図１は、本発明の一態様の胸用の汗とりシート（左胸用）１の平面図（ａ）及びその層構成を表す断面図（ｂ）である。
【００１４】
この汗とりシート１は、通気性シート２上に水分吸収層３、貼付剤層４、剥離シート５が順次積層したものからなる。ここで、通気性シート２は、水分吸収層３及び貼付剤層４の基布として設けられており、伸縮性の柔らかな通気性材料から形成することが好ましい。通気性シート２の構成材としては、例えば、ネルやスフモス等の編物、織物、不織布、紙、多数の通気孔を開口したプラスチックシート等をあげることができる。これらを構成する繊維素材としては、ポリエステル繊維、ポリエチレン繊維、ポリプロピレン繊維、ポリアミド繊維、ポリ塩化ビニル繊維、ポリビニルアルコール繊維等の熱可塑性繊維や、レーヨン、キュプラ、麻、絹等の非熱可塑性繊維、あるいはこれらの混紡繊維を使用することができる。
【００１５】
通気性シート２として不織布を使用する場合、その目付は、６０〜２００ｇ／ｍ２  とすることが好ましく、７０〜１１０ｇ／ｍ２  とすることがより好ましい。目付が小さすぎると水分吸収層３の構成材であるバインダー樹脂がしみ出すおそれがあり、反対に目付が大きすぎると、厚ぼったく、うっとうしい感触となる。
【００１６】
水分吸収層３は、例えば、ポリビニルアルコール、ポリブチラール等の水分吸収性のバインダー樹脂に、汗の吸収により香気を揮散させる香気揮散剤を分散させたものを、塗布等により通気性シート２上に形成したものである。これにより、汗とりシート１を肌に貼付することによって、汗を水分吸収層３に吸収させることができ、さらに、汗をかいたときに香気を揮散させることができるので、汗の臭いを効率よくマスキングすることが可能となる。
【００１７】
ここで、香気揮散剤としては、例えば、サイクロデキストリンで包接した香料（特許文献２参照）を使用することができる。サイクロデキストリンに包接させる香料自体としては、特に限定されず、一般的な合成香料、天然香料あるいは調合香料を使用することができる。なお、サイクロデキストリンで包接した香料は、公知の方法（特開昭６３−２５４１９７公報）で調製することができ、例えば、マルトシル−β−サイクロデキストリンを適当量の水に溶解させた後、香料を添加し、ホモジナイザーなどを用いて高速で撹拌して包接化合物を生成させ、それを乾燥粉末化することにより調製することができる。この他、香気揮散剤としては、香料を水溶性マイクロカプセルで封じたもの等を使用することができる。
【００１８】
貼付剤層４は肌に直接貼付される層である。貼付剤層４は、美肌目的で肌に貼付される公知のシート状化粧料（例えば、特開２００１−５８９２４号公報等）の貼付剤層と同様に構成することができ、通気性シート２上に形成した水分吸収層３上への貼付剤組成物の塗布等により形成することができる。貼付剤層４に汗（水分）を透過させる程度の穴を形成するため、貼付剤組成物の塗布後、貼付剤層４が乾燥するまでの間に、金属製等の鋭利な細い針を全面に配置させた剣山のような穴形成手段により貼付剤層４を突き刺して機械的に複数の穴を開けることが好ましい。
【００１９】
貼付剤組成物としては、無機粉体（カオリン、タルク、ベントナイト、二酸化チタン等）を賦形剤とし、これに水溶性高分子化合物、制汗剤（塩化アルミニウム、オキシ塩化アルミニウム、塩基性臭化アルミニウム、クロルヒドロキシアルミニウム、クロルヒドロキシアルミニウムジルコニウム、硫酸亜鉛、フェノールスルホン酸アルミニウム、フェノールスルホン酸、塩基性乳酸アルミニウム亜鉛等）、消臭性金属化合物（酸化マグネシウム、酸化亜鉛、炭酸カルシウム、炭酸マグネシウム等）、保湿剤（グリセリン、ソルビトール、ポリエチレングリコール等）、美肌成分その他の薬効成分、油剤成分等を加え、練り合わせて得られる弱酸性のペースト状の組成物を使用することが好ましい。
【００２０】
このように貼付剤組成物を弱酸性とし、保湿剤、薬効成分及び油剤成分を含有させると、汗とりシート１を肌に貼付している間に、スキンケアもすることができ、肌にはりと潤いを与えることができるので好ましい。
【００２１】
剥離シート５は、汗とりシート１の使用時には剥離除去されるもので、例えば、ポリエチレン、ポリプロピレン、ポリエステル等のプラスチックフィルムから形成することができる。
【００２２】
なお、汗とりシート１は、その保管時には、非透湿性の密封袋又は密封容器に保管収容される。
【００２３】
汗とりシート１は、その全体形状としては、図１（ａ）に示したように、左右非対称な変形三日月形状とすることが好ましく、その厚みは１ｍｍ以下に薄く形成することが好ましい。このような形状とすることにより、図２に示すように、立体的な丸みのある胸の略下半分に、弧を描くように密着させることができるので、汗の吸収効率を高めることができ、また、胸部のボディラインが損なわれることを防止できる。
【００２４】
汗とりシート１の使用方法としては、剥離シート５を剥離除去した後、貼付剤層４が肌に当たるようにして、図２に示すように、胸に密着させる。これにより、汗が貼付剤層４を通過して水分吸収層３で吸収される。そして、水分吸収層３が汗を吸収することにより、香気揮散剤の作用により香気が通気性シート２を通して外部に揮散する。さらに、貼付剤層４は弱酸性であり、保湿剤、薬効成分及び油剤成分を含有しているので、上述の汗の吸収と香気の揮散の他に、スキンケアを行うことが可能となる。
【００２５】
以上、図１及び図２に基づいて本発明を説明したが、本発明の汗とりシートは、この他種々の態様をとることができる。例えば、貼付剤層に水分吸収性バインダーと香気揮散剤を含有させ、水分吸収層と貼付剤層の機能を兼ねる単一層を通気性シート２上に設けてもよい。
【００２６】
また、本発明の汗とりシートは、胸用に限らない。身体の種々の貼付部位に適した任意の形状に成形することができる。
【００２７】
【発明の効果】
本発明の汗とりシートは、肌に貼付して用いるので、身体の任意の部分、特に、胸の汗とりに好適に使用することができる。また、本発明の汗とりシートによれば、汗をかいたときに香気を揮散させることができる。
【図面の簡単な説明】
【図１】汗とりシート（左胸用）の平面図（ａ）とその層構成を表す断面図（ｂ）である。
【図２】汗とりシートの使用状態の正面図（ａ）及び側面図（ｂ）である。
【符号の説明】
１    汗とりシート
２    通気性シート
３    水分吸収層
４    貼付剤層
５    剥離シート
【図１】
2004298539.tif 000003
【図２】
2004298539.tif 000004